(57)【要約】【課題】車両に搭載されるスピーカシステムに対し、剛性が比較的高いエンクロージャの構造を提供するとともに、音圧の周波数特性を向上させる。【解決手段】スピーカシステムは、車両の前後方向に延在する中空の骨格部材と、骨格部材の内部空間をバックキャビティとして利用できるように配設されるスピーカユニットとを備える。また、骨格部材は、内部空間の少なくとも一端に仕切部材を有し、スピーカユニットから、内部空間の長手方向における両端までの空間上の経路長が略等しい。【選択図】図２
2019186710.tif 000002
【特許請求の範囲】
【請求項１】
車両の前後方向に延在する中空の骨格部材と、
前記骨格部材の内部空間をバックキャビティとして利用できるように配設されるスピーカユニットと、
を備え、
前記骨格部材は、前記内部空間の少なくとも一端に仕切部材を有し、
前記スピーカユニットから、前記内部空間の長手方向における両端までの空間上の経路長が略等しい
スピーカシステム。
【請求項２】
前記スピーカユニットを搭載する筐体をさらに含み、前記スピーカユニットは前記筐体を介して前記骨格部材と接続される
請求項１に記載のスピーカシステム。
【請求項３】
前記筐体の内部は、他の中空の部材の内部とさらに連通する
請求項２に記載のスピーカシステム。
【請求項４】
前記スピーカユニットから、前記他の中空の部材の延在方向における両端までの空間上の経路長が略等しい
請求項３に記載のスピーカシステム。
【請求項５】
前記仕切部材は、板金又は吸音材によって形成される
請求項１から４のいずれか一項に記載のスピーカシステム。
【請求項６】
車両の前後方向に延在する骨格部材の内部空間をスピーカシステムのバックキャビティとして利用し、
前記骨格部材は、前記内部空間の少なくとも一端に仕切部材を有し、
前記内部空間の長手方向における両端までの空間上の経路長が略等しい位置にスピーカユニットを配置する
スピーカシステムのエンクロージャ構造。
【発明の詳細な説明】
【技術分野】
【０００１】
本発明は、スピーカシステム及びスピーカシステムのエンクロージャ構造に関する。
【背景技術】
【０００２】
従来、車載スピーカシステムにおいて、音圧の節にサブスピーカを設置するものが提案されている（例えば、特許文献１）。また、スピーカユニットをバッフル板の最低共振定在波の節に対向する位置に設けるスピーカ装置が提案されている（例えば、特許文献２）。
【０００３】
また、スピーカ本体をドアインナパネルに取付けてドア内に収納した自動車用ドアスピーカのスピーカボックスのドアヒンジ側の側面に開口部を形成するという技術も提案されている（例えば、特許文献３）。本技術では、ドアの車両前方側のドア側面パネルに開口部に連通する開口部を形成し、底面でロッカ内の空間部に連通するカウルサイドの車両後方側のカウル側面パネルに、ドア側面パネルの開口部にドア閉鎖時に連通する開口部を設ける。また、カウルサイドの車室内側のカウル側面パネルに、カウルサイドの空間部を車室内に連通させるバスレフポートを設ける。
【先行技術文献】
【特許文献】
【０００４】
【特許文献１】実開平１−５９３８８号公報
【特許文献２】特開２００８−１３１１９９号公報
【特許文献３】特開平８−２５３０８２号公報
【特許文献４】米国特許出願公開第２００９／０２７９７３３号明細書
【特許文献５】特開２００９−１１８１８２号公報
【特許文献６】実開平５−８２１９５号公報
【特許文献７】実開平６−１１８４号公報
【発明の概要】
【発明が解決しようとする課題】
【０００５】
車両にスピーカを搭載する場合、車室内の空間は限られているため、音圧レベルの周波数特性が可聴周波数領域において均一に近づくようなバックキャビティを設けるのは難しかった。また、例えば車両のドアは、スピーカのエンクロージャとしては剛性が低く、振動に弱いという問題があった。
【０００６】
本発明は、車両に搭載されるスピーカシステムに対し、剛性が比較的高いエンクロージャの構造を提供するとともに、音圧の周波数特性を向上させることを目的とする。
【課題を解決するための手段】
【０００７】
本発明に係るスピーカシステムは、車両の前後方向に延在する中空の骨格部材と、骨格部材の内部空間をバックキャビティとして利用できるように配設されるスピーカユニットとを備える。また、骨格部材は、内部空間の少なくとも一端に仕切部材を有し、スピーカユニットから、内部空間の長手方向における両端までの空間上の経路長が略等しい。
【０００８】
車両の骨格部材は比較的剛性が高いため、これをバックキャビティに利用することで、音漏れを低減させることができる。また、ドア等にスピーカシステムを搭載する必要がなくなるため、ドア等の他の部分についてデザインの自由度が向上する。また、仕切部材を設けることで、骨格部材内の任意の領域に、スピーカシステムのバックキャビティとして
利用する内部空間を形成することができる。また、車両の骨格部材を利用する場合は一方向に長い形状になりがちであるところ、仕切部材によって長手方向の長さを調節することにより低音域で生じる共鳴を抑制し、スピーカシステムの再生可能帯域を広げることができる。また、スピーカユニットから、内部空間の長手方向における両端までの空間上の経路長を略等しくすることにより、奇数次の共鳴における音圧の節に対向する位置にスピーカユニットを配置することができる。よって、奇数次の共鳴では音圧のピークやディップの影響を抑制することができる。なお、バックキャビティに利用する骨格部材としては、例えばいわゆるロッカーのように、車両の左右に設けられ、車両の前後方向に延在する中空の部材が好ましいが、車両中央に設けられているセンターコンソール等をバックキャビティとして利用してもよい。
【０００９】
また、スピーカユニットを搭載する筐体をさらに含み、スピーカユニットは筐体を介して骨格部材と接続されるようにしてもよい。筐体を有する場合は、スピーカユニットを搭載する筐体を骨格部材に取り付けることで、車両にスピーカシステムを取り付ける作業が完了する。
【００１０】
また、筐体の内部は、他の中空の部材の内部とさらに連通するようにしてもよい。他の中空の部材をさらにバックキャビティとして利用することで、バックキャビティ全体として十分に空気の振動が得られるような容量を確保することができる。
【００１１】
また、スピーカユニットから、他の中空の部材の延在方向における両端までの空間上の経路長が略等しくなるようにしてもよい。他の中空の部材の延在方向とは、換言すれば、他の中空の部材の長手方向である。このようにすれば、他の中空の部材の内部において生じる奇数次の共鳴について、音圧のピークやディップの影響を抑制することができる。
【００１２】
また、仕切部材は、板金又は吸音材によって形成されるようにしてもよい。板金で形成することにより、部材の剛性を向上させることができる。吸音材で形成することにより、急峻な音圧のピークやディップの影響を抑制することができる。
【００１３】
本発明の他の側面に係るスピーカシステムのエンクロージャ構造は、車両の前後方向に延在する骨格部材の内部空間をスピーカシステムのバックキャビティとして利用し、骨格部材は、内部空間の少なくとも一端に仕切部材を有し、内部空間の長手方向における両端までの空間上の経路長が略等しい位置にスピーカユニットを配置する。
【００１４】
なお、課題を解決するための手段に記載の内容は、本発明の課題や技術的思想を逸脱しない範囲で可能な限り組み合わせることができる。
【発明の効果】
【００１５】
車両に搭載されるスピーカシステムに対し、剛性が比較的高いエンクロージャの構造を提供するとともに、音圧の周波数特性を向上させることを目的とする。
【図面の簡単な説明】
【００１６】
【図１】車両の構造の一例を示す図である。
【図２】本実施形態に係るスピーカシステムを模式的に表す斜視図である。
【図３】本実施形態に係るスピーカシステムの模式的に表す分解斜視図である。
【図４】第１の比較例に係るスピーカシステムの一例を示す図である。
【図５】第２の比較例に係るスピーカシステムの一例を示す図である。
【図６】第３の比較例に係るスピーカシステムの一例を示す図である。
【図７】閉管の共鳴について説明するための図である。
【図８Ａ】音圧がスピーカの振動板に与える影響を説明するための図である。
【図８Ｂ】音圧がスピーカの振動板に与える影響を説明するための図である。
【図８Ｃ】音圧がスピーカの振動板に与える影響を説明するための図である。
【図９】比較例１〜３に係るスピーカシステムについての音圧の周波数特性のシミュレーション結果を示す図である。
【図１０】比較例１〜３に係るスピーカシステムについての機械インピーダンス特性のシミュレーション結果を示す図である。
【図１１】第２の実施形態に係るスピーカシステムを模式的に表す分解斜視図である。
【図１２】第２の実施形態に係るスピーカシステムを水平に切断した断面図である。
【図１３】変形例に係るスピーカシステムを水平に切断した断面図である。
【図１４】比較例１並びに実施形態１及び２に係るスピーカシステムの音圧レベルの周波数特性のシミュレーション結果を説明するための図である。
【図１５】第３の比較例に係る音圧レベルの周波数特性のシミュレーション結果の一例を示す図である。
【図１６】ドアに搭載されるスピーカシステムの一例を示す斜視図である。
【図１７】変形例に係るスピーカシステムの一例を示す斜視図である。
【発明を実施するための形態】
【００１７】
以下、図面を参照しつつ実施形態に係る構成を説明する。
【００１８】
＜実施形態１＞
図１は、車両の構造の一例を示す図である。図１の例は、乗用車の骨格構造の一例を示している。本実施形態では、車両１の前後方向に延在する中空の骨格部材２を、スピーカシステムのバックキャビティとして用いる。骨格部材２は、車両１の側面に設けられるドア（図示せず）の下方に位置しており、車両の左右にそれぞれ存在する。また、骨格部材２は、断面が例えば略六角形のような多角形であり、内部にキャビティを有する。なお、骨格部材２は、「ロッカー」、「ロッカーパネル」、「サイドパネル」、「サイドシル」等とも呼ばれる。
【００１９】
また、車両１は、例えば車両の横（左右）方向に延在する他の中空の部材３等を有する。図１に示す部材３は、座席（図示せず）の下方に位置し、座席を支持する部材であり、「シートクロス」等とも呼ばれる。図１の骨格部材２と他の部材３とは接続されている。また、部材３も中空である。
【００２０】
なお、車両の骨格構造は、モノコックであってもラダーフレームであってもよい。いずれの場合も、例えば車両の前後方向に延在する中空の部分をスピーカシステムのバックキャビティとして用いる。
【００２１】
図２は、第１の実施形態に係るスピーカシステムを模式的に表す斜視図である。図３は、本実施形態に係るスピーカシステムの模式的な分解斜視図である。スピーカシステム４は、骨格部材２と筐体５とを接続して形成される。すなわち、スピーカシステム４は、図１に示した車両１の左右のドア付近の床下に設けられる。
【００２２】
筐体５は、スピーカユニット６が搭載される箱状の筐体であり、図３に示すように、筐体５内においてスピーカユニット６の後方に設けられた空間を骨格部材２の内部空間と連通させるための開口部５１が設けられている。すなわち、骨格部材２内の空間をスピーカシステム４のバックキャビティとして利用できるように、スピーカユニット６は筐体５を介して骨格部材２と接続される。図３の例では、開口部５１は、直方体状の筐体５の一面の全体に設けられているが、その形状は特に限定されない。なお、スピーカユニット６は、電気信号を振動に変換する部品であり、コーン型、ドーム型、ホーン型、リボン型等の
構造は特に限定されない。
【００２３】
また、図３に示すように、骨格部材２には、その内部空間２２を筐体５の内部と連通させるための開口部２１が設けられている。開口部２１の形状は特に限定されず、例えば骨格部材２の強度とスピーカシステムの音響設計とのバランスに基づいて決定することができる。開口部２１は、骨格部材２と筐体５との接合のために設けられる切欠きであってもよい。また、開口部２１は、例えば円形の穴とすることで骨格部材２の強度の低下を抑えられる。
【００２４】
また、骨格部材２は、内部のキャビティをさらに仕切り、所定の内部空間２２を形成するための仕切部材２３を備える。換言すれば、仕切部材２３は、骨格部材２の内部に設けられスピーカシステムのバックキャビティとして用いられる内部空間２２の、長手方向の端部を閉塞する。また、スピーカユニット６は、内部空間２２の長手方向の略中央と対向する位置に配置されている。換言すれば、スピーカユニット６から所定の内部空間２２の長手方向の両端までの空間上の経路長は略等しい。
【００２５】
仕切部材２３は、板金で形成されていてもよいし、吸音材で形成されていてもよい。板金で形成することにより、部材の剛性を向上させることができる。吸音材で形成することにより、急峻な音圧のピークやディップの影響を抑制することができる。
【００２６】
以上のように、スピーカシステムのエンクロージャ構造は、車両の前後方向に延在する骨格部材の内部空間をスピーカシステムのバックキャビティとして利用する。また、骨格部材は、内部空間の少なくとも一端に仕切部材を有し、内部空間の長手方向における両端までの空間上の経路長が略等しい位置にスピーカユニットが配置される。
【００２７】
＜比較例＞
図４は、第１の比較例（比較例１）に係るスピーカシステムの一例を示す図である。本比較例では、筐体５は、骨格部材２の長手方向の略中央に接続されている。すなわち、スピーカシステムの閉管状のバックキャビティの略中央に音源が存在する。なお、骨格部材２の長手方向の両端は閉じられているものとする。
【００２８】
図５は、第２の比較例（比較例２）に係るスピーカシステムの一例を示す図である。本比較例では、筐体５は、骨格部材２の長手方向の一方の端部に接続されている。すなわち、スピーカシステムの閉管状のバックキャビティの端部に音源が存在する。
【００２９】
図６は、第３の比較例（比較例３）に係るスピーカシステムの一例を示す図である。本比較例では、筐体５は、骨格部材２の一方の端部からその全長の４分の１程度の位置に接続されている。すなわち、スピーカシステムの閉管状のバックキャビティの端部から４分の１程度の位置に音源が存在する。
【００３０】
また、図７は、閉管の共鳴について説明するための図である。図７の閉管は骨格部材２の内部を模式的に表している。上述の通り、骨格部材２は、両端が閉じた管状の構造体であり、その内部にキャビティを有する。実線の波は、長手方向の長さがＬの閉管において共鳴が生じるｍ次（ｍ＝１，２，３，・・・）の波長の変位を表している。破線の波は、各定在波において生じる圧力の変化を表している。
【００３１】
波長λｍは、以下の式（１）で求められる。
λｍ＝２Ｌ／ｍ      ・・・（１）
【００３２】
また、周波数ｆｍは、以下の式（２）で求められる。なお、ｖは音速である。
ｆｍ＝ｍ（ｖ／２Ｌ）      ・・・（２）
【００３３】
図７に示すように、閉管の長手方向の両端は、次数がいずれの場合であっても音圧の腹に当たる。一方、閉管の長手方向の中央は、偶数次の共鳴では音圧の腹に当たるが、奇数次の共鳴においては音圧の節に当たる。したがって、音源を閉管の端部に配置した場合は、いずれの次数においても音圧の周波数特性にピークやディップが生じてしまう。一方、音源を閉管の中央に配置した場合は、奇数次の共鳴では音圧のピークやディップの影響は生じない。換言すれば、音圧のピークやディップの影響を受けるのは２次の共鳴以上の偶数次の場合のみとなる。
【００３４】
図８Ａ〜図８Ｃは、音圧がスピーカユニットの振動板に与える影響を説明するための図である。図８Ａ〜図８Ｃにおいては、バックキャビティの音圧の絶対値をドットの密度で表している。また、スピーカユニットの振動板の変位を破線の曲線で表している。また、矢印は、音圧の圧力場がスピーカの振動板に作用する力の方向を表している。図８Ａは、音圧の腹に配置したスピーカに対し、正の音圧が影響する例を示している。図８Ａの例では、振動板の振動と音圧とが同相であり、音圧が振動板の駆動を促進する。図８Ｂは、音圧の腹に配置したスピーカに対し、負の音圧が影響する例を示している。図８Ｂの例では、振動板の振動と音圧とが逆相であり、音圧が振動板の駆動を抑制する。図８Ｃは、音圧の節に配置したスピーカに対する音圧の影響を示している。図８Ｃの例では、振動板の振動に対し音圧が影響せず、バックキャビティの容積が無限大の場合と等価になる。
【００３５】
図９は、比較例１〜３に係るスピーカシステムについての音圧の周波数特性のシミュレーション結果を示す図である。図１０は、比較例１〜３に係るスピーカシステムについての機械インピーダンス特性のシミュレーション結果を示す図である。シミュレーションは、数値解析により骨格部材２内のキャビティの機械インピーダンスを近似的に算出し、その結果を用いて無限大のバッフルを有するスピーカユニットの前方１メートル（ｍ）の位置における音圧レベルを求めることにより行った。
【００３６】
図９のグラフは、縦軸が音圧レベル（ＳＰＬ：Sound Pressure Level）［ｄＢ］を示し、横軸が周波数［Ｈｚ］を示す。図１０のグラフは、縦軸が機械インピーダンス［Ｎ・ｓ／ｍ］を示し、横軸が周波数［Ｈｚ］を示す。また、図９の実線は、バックキャビティの体積が無限大の場合の理論上の周波数特性を示す。図９及び図１０の図形がプロットされていない破線は、バックキャビティの体積が４０．０リットル（Ｌ）の場合の理論上の周波数特性を示す。円がプロットされた破線は、比較例１に係るスピーカシステムの場合の周波数特性を示す。四角形がプロットされた破線は、比較例２に係るスピーカシステムの場合の周波数特性を示す。星印がプロットされた破線は、比較例３に係るスピーカシステムの場合の周波数特性を示す。比較例１〜３に係るスピーカシステムのバックキャビティの体積は、３９．５Ｌである。また、図９及び図１０において縦の破線で示す２００Ｈｚの周波数は、一般的なミッドウーファの再生帯域の上限の目安である。比較例１に係るスピーカシステムは、端部に筐体５を接続する比較例２等と比較し、１次共鳴周波数（約９０Ｈｚ）でのピーク及びディップを回避することができる。
【００３７】
＜作用・効果＞
図９及び図１０からわかる通り、比較例１のように閉管状のバックキャビティの長手方向の略中央に筐体５を接続する場合は、音圧レベルや機械インピーダンスのディップが発生する周波数がより高くなる。また、比較例１の場合は、比較例１及び２の場合よりも、平均的な音圧レベルや機械インピーダンスからの振れ幅が小さくなっている。よって、スピーカシステムのバックキャビティとして機能する骨格部材２の内部のキャビティの略中央に音源を配置することで、例えばキャビティの端に音源を配置する場合よりも、共鳴により生じる音圧のピーク及びディップの影響を小さくすることができ、再生帯域を拡大す
ることができる。
【００３８】
上述した実施形態１に係るスピーカシステム４は、スピーカユニット６から所定の内部空間２２の長手方向の２つの端部までの空間上の経路長が略等しい。すなわち、奇数次の共鳴によって生じる音圧の節に音源を配置することができ、音圧のピーク及びディップの影響を小さくすることができる。
【００３９】
また、骨格部材２内には強度を担保するためにリブ等が設けられることもあり、骨格部材２内のキャビティの全体をスピーカシステムのバックキャビティとして利用しにくい場合もある。上述した実施形態１では、仕切部材２３を設けることにより、骨格部材２内の任意の領域に、スピーカシステム４のバックキャビティとして利用する内部空間を形成することができる。また、管状の構造体における共鳴周波数は、管の長手方向の長さに反比例する。したがって、例えば仕切部材２３により管の長さを短くすることで低音域における共鳴を低減させることができ、スピーカシステムの再生可能帯域を拡大することができる。
【００４０】
また、例えば図１に示したロッカーのように、車両の左右に設けられ、車両の前後方向に延在する中空の骨格部材をバックキャビティとして利用すれば、車内に設けられるスピーカシステム４の位置も好ましいものになる。このように、車両に搭載されるスピーカシステムに対し、剛性が比較的高いエンクロージャの構造を提供するとともに、音圧の周波数特性を向上させることができる。
【００４１】
＜実施形態２＞
図１１は、第２の実施形態に係るスピーカシステムを模式的に表す分解斜視図である。本実施形態では、上述した実施形態と同様の構成要素には同一の符号を付し、説明を省略する。
【００４２】
本実施形態に係るスピーカシステム４は、他の中空の部材３をさらに備える。部材３としては、例えば図１に示したシートクロス等を利用することができる。スピーカユニット６が搭載された筐体５の内部と、他の中空の部材３の内部との間も、開口部３１を介して連通している。このように他の部材３の内部をさらにバックキャビティとして利用することで、バックキャビティの容量を増大させることができ、全体として十分に空気の振動が得られるような容量を確保することができる。
【００４３】
図１２は、本実施形態に係るスピーカシステム４の模式的な断面図である。図１２の例は、スピーカシステム４を上方から見た内部構造を表している。図１２に示すように、骨格部材２はその長手方向における略中央に開口部２１を有し、部材３はその長手方向における略中央に開口部３１を有する。そして、スピーカユニット６は、骨格部材２の長手方向における略中央であって且つ部材３の長手方向における略中央に対向する位置に配置される。換言すれば、スピーカユニット６から内部空間２２の両端までの空間上の経路長は略等しく、且つスピーカユニット６から他の中空の部材３の内部空間３２の両端までの空間上の経路長も略等しい。なお、部材３の内部にも仕切部材３３を設けるようにしてもよい。本実施形態によれば、部材３の内部に設けられるバックキャビティにおいて共鳴が生じることを抑制できる。このようにすれば、他の中空の部材の内部において生じる奇数次の共鳴について、音圧のピークやディップの影響を抑制することができる。なお、骨格部材２と他の部材３とは接続されていなくてもよい。
【００４４】
図１３は、変形例に係るスピーカシステム４の模式的な断面図である。図１３の例は、スピーカシステム４を上方から見た内部構造を表している。図１３に示すように、骨格部材２の内部と部材３の内部とがさらに連通する構成としてもよい。本実施形態でも、スピ
ーカユニット６は、骨格部材２の長手方向における略中央に対向する位置に設けられる。また、本実施形態では、スピーカユニット６は、部材３が延在する方向における両端間の略中央に対向する位置に配置される。図１３に示すように、他の部材３の一端が骨格部材２の側面と接続されている場合は、他の部材３の他端（仕切部材３３）と、部材３の長手方向の延長上に位置する骨格部材２の側面との間の長さを半波長とする共鳴が生じる。よって、当該２端間の略中央に音圧の節が生じるため、節に対向する位置にスピーカユニット６を設けている。換言すれば、スピーカユニット６から骨格部材２の内部空間２２の両端までの空間上の経路長は略等しく、且つスピーカユニット６から他の中空の部材３の延在方向の両端までの空間上の経路長も略等しくなっている。このようにすれば、他の中空の部材の内部において生じる奇数次の共鳴について、音圧のピークやディップの影響を抑制することができる。
【００４５】
図１４は、比較例１並びに実施形態２及び３に係るスピーカシステムの音圧レベルの周波数特性のシミュレーション結果を説明するための図である。図１４の実線は、バックキャビティの容量が４０Ｌの理論上のスピーカシステム周波数特性の一例を示すグラフである。また、白い三角形がプロットされた破線は、比較例１に係る骨格部材２をバックキャビティとして利用する場合の周波数特性を示すグラフである。なお、バックキャビティの長手方向の長さは１９００ｍｍ、容量は４２Ｌ、筐体５の内部と骨格部材２の内部とを接続する開口部の面積は４６ｃｍ２とした。また、黒い三角形がプロットされた破線は、実施形態１に係る仕切部材２３を有する骨格部材２をバックキャビティとして利用する場合の周波数特性を示すグラフである。なお、２つの仕切部材２３間に形成される内部空間２２の長手方向の長さは６９０ｍｍ、容量は２０Ｌ、筐体５の内部と骨格部材２の内部とを接続する開口部の面積は４６ｃｍ２とした。また、円がプロットされた破線は、実施形態２に係る他の中空の部材３をさらに接続し且つ仕切部材２３を有する骨格部材２をバックキャビティとして利用する場合の周波数特性を示すグラフである。なお、２つの仕切部材２３間に形成される内部空間２２の長手方向の長さは６９０ｍｍ、バックキャビティ全体の容量は２２Ｌ、筐体５の内部と骨格部材２及び部材３の内部とを接続する開口部の面積は６８ｃｍ２とした。
【００４６】
図１４に示すように、実施形態１に係るスピーカシステムは、２００Ｈｚ付近まで音圧レベルが均一な領域を拡大することができる。したがって、ミッドウーファ帯域をカバーする用途にも利用できる。また、実施形態２に係るスピーカシステムは、バックキャビティの容量を増大させることができ、実施形態１の場合よりも全体として音圧レベルを上げることができる。また、筐体５とバックキャビティとの接続面積を増大させることで、共鳴時の筐体５内部の音圧を低下させることができ、ディップを軽減する効果がある。
【００４７】
＜比較例＞
図１５は、第３の比較例（比較例３）に係る音圧レベルの周波数特性のシミュレーション結果の一例を示す図である。図１５の実線は、バックキャビティの容量が４０Ｌの理論上のスピーカシステム周波数特性の一例を示すグラフである。また、四角形がプロットされた破線は、比較例３に係るスピーカシステムの周波数特性一例を示す。比較例３に係るスピーカシステムは、車両のドアに搭載される。
【００４８】
図１６は、ドアに搭載されるスピーカシステムの一例を示す斜視図である。図１６の例では、ドア７の内部にスピーカシステムのバックキャビティを設け、スピーカユニット６が車室内を向くように埋め込まれている。なお、比較例３において、バックキャビティの容量は約６８Ｌとした。また、円がプロットされた破線は、実施形態３に係るスピーカシステムの周波数特性の一例を示す。
【００４９】
実施形態３に係るスピーカシステムと比較例３に係るスピーカシステムとではバックキ
ャビティの容量が異なるため、実施形態３に係るスピーカシステムは比較例３よりも低音域の利得はやや低いが、約８０Ｈｚ以上の帯域においては高くなっている。また、実施形態３の方が、ピーク及びディップが生じるまでの周波数帯を広くとることができ、再生可能帯域が拡大している。
【００５０】
以上のように、本実施形態に係るスピーカシステムは、ドアに搭載されるスピーカ比較し、同等以上の性能を実現することが可能である。また、ドアは軽く剛性も比較的低いため、車外へ音が漏れることもあるが、車両の骨格部材２をバックキャビティに利用することで音漏れを低減させることができる。さらに、ドアにスピーカシステムを搭載する必要がないためドアのデザインの自由度が向上し、ドアポケットの容量を増大させたり、軽量化させることもできる。
【００５１】
＜その他＞
以上、本発明に係るスピーカシステムの実施形態を示したが、これらは本発明の一例であり、本発明は上述した態様には限定されない。また、各実施形態の内容は、本発明の趣旨を逸脱しない範囲内において組み合わせることができる。また、本発明は、上述したスピーカシステムのエンクロージャ構造として特定することもできる。
【００５２】
図１７は、変形例に係るスピーカシステムの一例を示す斜視図である。図１７に示すように、骨格部材２は、内部空間２２の一端を仕切部材２３によって閉塞され、内部空間２２の他端には骨格部材２が備える端壁２４を有する構成であってもよい。すなわち、骨格部材２は、内部空間２２の少なくとも一端に仕切部材２３を有する。なお、図１７の例においても、スピーカユニット６から内部空間２２の長手方向の両端までの空間上の経路長は略等しい。このような構成であっても、スピーカシステム４のバックキャビティの長手方向の長さを調節でき、再生可能周波数帯を広げることができる。
【００５３】
スピーカユニット６は、箱状の筐体５を介することなく骨格部材２に接続されてもよい。例えば、スピーカユニット６が、骨格部材２に設けられた開口部に直接接続されてもよいし、バッフル板等の部材を介して接続されてもよい。このような構成であっても、骨格部材２の内部空間２２をスピーカシステムのバックキャビティとして利用することができるように、スピーカユニット６を配設することができる。一方、筐体５を有する場合は、本システムの部品となるユニットを形成することができ、骨格部材２への取り付け作業を容易にし得る。
【００５４】
なお、車室内の前方中央に設けられるセンターコンソール等をバックキャビティとして利用してもよい。
【００５５】
また、上述した実施形態に係るスピーカシステムをバスレフ型としてもよい。例えば、スピーカシステムのバックキャビティに所定の共鳴振動数を有するダクトをさらに設ける。共鳴振動数は、周波数特性の均一な帯域が低音域側に拡大するように適宜決定することができる。
【符号の説明】
【００５６】
１    ：車両
２    ：骨格部材
２１  ：開口部
２２  ：内部空間
２３  ：仕切部材
２４  ：端壁
３    ：他の中空の部材
３１  ：開口部
３２  ：内部空間
３３  ：仕切部材
４    ：スピーカシステム
５    ：筐体
５１  ：開口部
６    ：スピーカユニット
【図１】
2019186710.tif 000003
【図２】
2019186710.tif 000004
【図３】
2019186710.tif 000005
【図４】
2019186710.tif 000006
【図５】
2019186710.tif 000007
【図６】
2019186710.tif 000008
【図７】
2019186710.tif 000009
【図８Ａ】
2019186710.tif 000010
【図８Ｂ】
2019186710.tif 000011
【図８Ｃ】
2019186710.tif 000012
【図９】
2019186710.tif 000013
【図１０】
2019186710.tif 000014
【図１１】
2019186710.tif 000015
【図１２】
2019186710.tif 000016
【図１３】
2019186710.tif 000017
【図１４】
2019186710.tif 000018
【図１５】
2019186710.tif 000019
【図１６】
2019186710.tif 000020
【図１７】
2019186710.tif 000021
【手続補正書】
【提出日】令和1年5月28日(2019.5.28)
【手続補正１】
【補正対象書類名】明細書
【補正対象項目名】０００４
【補正方法】変更
【補正の内容】
【０００４】
【特許文献１】実開平１−５９３８８号公報
【特許文献２】特開２００８−１３１１９９号公報
【特許文献３】特開平８−２５３０８２号公報
【特許文献４】米国特許出願公開第２００９／０２７９７３３号明細書
【特許文献５】特開２００９−１１８１８２号公報
【特許文献６】実開平５−８２１９５号公報
【特許文献７】特開平６−１１８４号公報